(57)【要約】  【課題】シャッタースピードを確保しつつ、薄型化を図ることができるシャッター装置を提供することを課題とする。  【解決手段】通過光量の異なる複数の露光用開口７，７，…と遮光部８とを備えるシャッター羽根４と、前記シャッター羽根４との係合部１１を二点間で往復移動させるシャッター駆動手段５と、シャッター羽根４との係合部１４を前記シャッター駆動手段５における係合部１１の二点間の往復移動方向と交差する方向に往復移動させる切換駆動手段６とを備え、前記複数の露光用開口７，７，…は、前記シャッター羽根４と切換手段６との係合部１４の往復移動に沿った方向に形成されることを特徴とする。【選択図】図１
2007272026.tif 000002
【特許請求の範囲】
【請求項１】
レンズをシャッター羽根が覆うように配設されているシャッター装置であって、通過光量の異なる複数の露光用開口が形成されると共に遮光部を有するシャッター羽根と、前記シャッター羽根と係合することで第一係合部を構成し、前記シャッター羽根を露光用開口からレンズへ撮影光が通過可能となる位置とレンズを遮光部で遮光する位置とに移動すべく、前記第一係合部を露光位置と遮光位置との二点間で往復移動させるシャッター駆動手段と、前記第一係合部と距離をおいて前記シャッター羽根と係合することで第二係合部を構成し、前記第一係合部の露光位置と遮光位置との二点間を結ぶ方向と交差する方向に前記第二係合部を往復移動させる切換駆動手段とを備え、前記複数の露光用開口は、前記第二係合部の往復移動に沿った方向に形成されることを特徴とするシャッター装置。
【請求項２】
前記第一係合部は、回動自在に係合され、第二係合部は、前記第一係合部と第二係合部とを結ぶ方向に沿ってスライド可能に係合されるスライド係合部であることを特徴とする請求項１又は２に記載のシャッター装置。
【発明の詳細な説明】
【技術分野】
【０００１】
本発明は、光学機器用のシャッター装置に関し、特に、薄型のデジタルカメラや携帯電話機に内蔵されたカメラ等の薄型光学機器に好適に使用できるシャッター装置に関する。
【背景技術】
【０００２】
近年、携帯時の利便性やデザイン性の観点等から、カメラ等の光学機器は、薄型（小型）化されており、それに伴って光学機器に内蔵されるシャッター装置についても薄型（小型）化されている。例えば、薄型のデジタルカメラやカメラ付き携帯電話機に内蔵されるシャッター装置は、極めて薄型化されている。
【０００３】
しかし、従来のカメラ等の光学機器に内蔵されるシャッター装置は、シャッター羽根と絞り羽根とがそれぞれ複数枚使用されていることから、各羽根が擦れることによる擦り傷等の損傷を防ぐために各羽根間に所定の間隙を設ける必要があり、そのためシャッター装置の十分な薄型化を図ることができなかった。
【０００４】
また、絞り機能を備えないシャッター装置、即ち、絞り羽根を無くすことで部品点数（羽根の数）を減らして構造を簡素化することで装置の薄型化を図ったシャッター装置も考えられるが、露光量を調節することができず、高品質の画質を得ることが出来ないと言った問題が生じる。
【０００５】
そこで、絞り羽根とシャッター羽根との二枚の羽根のみを使用することで、薄型化された絞り機能を備えるシャッター装置が提供されている（例えば、特許文献１参照）。
【特許文献１】特開２００５−７７７６０号公報
【発明の開示】
【発明が解決しようとする課題】
【０００６】
ところで、現在、カメラ等の光学機器は、さらなる薄型化が望まれており、それに伴ってシャッター装置もさらなる薄型化が望まれている。そこで、上記二枚のシャッター羽根で構成されたシャッター装置では、薄型化が不十分であったため、シャッター羽根に異なる径の露光用開口を複数形成し、各露光用開口の中心とレンズの光軸とが一致するようにシャッター羽根を移動することで、シャッター羽根（露光用開口）を通過する撮影光の光量（通過光量）を変えることができる、シャッター羽根と絞り羽根とを一体化した絞り機能を有するシャッター羽根が提案された。
【０００７】
しかし、一枚のシャッター羽根でシャッター機能と絞り機能とを兼用する場合、シャッター羽根をアクチュエータ等の駆動手段によって移動させる際に、各露光用開口の中心とレンズの光軸とがそれぞれ正確に一致するよう、シャッター羽根を位置決めして停止させなければならないが、シャッター羽根の慣性力等によって、シャッタースピードを確保しつつ正確に駆動範囲内の所定位置で駆動手段を停止させることは極めて困難であった。
【０００８】
そこで、本発明は、上記問題点に鑑み、シャッタースピードを確保しつつ、薄型化を図ることができるシャッター装置を提供することを課題とする。
【課題を解決するための手段】
【０００９】
そこで、本発明に係るシャッター装置は、レンズをシャッター羽根が覆うように配設されているシャッター装置であって、通過光量の異なる複数の露光用開口が形成されると共に遮光部を有するシャッター羽根と、前記シャッター羽根と係合することで第一係合部を構成し、前記シャッター羽根を露光用開口からレンズへ撮影光が通過可能となる位置とレンズを遮光部で遮光する位置とに移動すべく、前記第一係合部を露光位置と遮光位置との二点間で往復移動させるシャッター駆動手段と、前記第一係合部と距離をおいて前記シャッター羽根と係合することで第二係合部を構成し、前記第一係合部の露光位置と遮光位置との二点間を結ぶ方向と交差する方向に前記第二係合部を往復移動させる切換駆動手段とを備え、前記複数の露光用開口は、前記第二係合部の往復移動に沿った方向に形成されることを特徴とする。
【００１０】
かかる構成によれば、レンズを覆うように配設されているシャッター羽根は、露光用開口が複数形成されると共に遮光部を有し、前記露光用開口からレンズへ撮影光が通過可能となる位置とレンズを遮光部で遮光する位置とに前記シャッター羽根を移動すべく、シャッター駆動手段と第一係合部で係合している。そして、シャッター駆動手段で第一係合部を露光位置と遮光位置との二点間を往復移動するように作動（駆動）することで、シャッター装置における露光状態と遮光状態との切り換えを行うことができる。
【００１１】
この場合、シャッター駆動手段は、二点間を往復移動するように駆動すれば良いことから、第一係合部を前記二点間（駆動範囲）の途中（所定）位置で停止させる必要がない。従って、シャッタースピードを確保しつつ（高速のシャッタースピードを保ちつつ）第一係合部を移動させても、その駆動範囲の端まで第一係合部が移動するとそれ以上移動できないことから、慣性力等でずれることなく、第一係合部を正確に露光位置又は遮光位置に移動させる（位置決めする）ことができる。
【００１２】
また、シャッター羽根は、前記第一係合部の露光位置と遮光位置との二点間を結ぶ方向と交差する方向に往復移動させる切換駆動手段と第一係合部から距離をおいた第二係合部で係合すると共に、複数の露光用開口が前記切り換え駆動手段の往復移動に沿った方向に形成されている。従って、切換駆動手段を作動して第二係合部を移動することで、レンズに位置する露光用開口を切り換えることができ、レンズに入射する撮影光の光量を調節することができる。
【００１３】
即ち、複数の通過光量の異なる露光用開口と遮光部とを有するシャッター羽根をシャッター露光位置とシャッター遮光位置との二点間で移動させる駆動手段（シャッター駆動手段）と、レンズに入射する撮影光の通過する露光用開口の切り換えを行う駆動手段（切換駆動手段）とで、それぞれ交差する方向にシャッター羽根を駆動することで、シャッター羽根が一枚のみのシャッター装置であっても、シャッタースピードを確保しつつ、絞り（レンズに入射する撮影光の光量）も調節することができるシャッター装置を得ることができる。
【００１４】
さらに、シャッター羽根を一枚のみとすることで、シャッター装置の薄型化を図ることができるようになる。
【００１５】
また、前記第一係合部は、回動自在に係合され、第二係合部は、前記第一係合部と第二係合部とを結ぶ方向に沿ってスライド可能に係合されるスライド係合部である構成が好ましい。
【００１６】
かかる構成によれば、第二係合部が第一係合部と第二係合部とを結ぶ方向にスライド可能に係合されていることから、シャッター駆動手段によって第一係合部が露光位置から遮光位置へと駆動された際、前記第二係合部がスライドして、シャッター羽根は、第二係合部のスライド方向に移動する。このようにシャッター羽根が移動することによって、シャッター羽根の露光用開口においてレンズへ撮影光が通過可能な露光状態からレンズを遮光部で遮光する遮光状態へと切り換えられる。
【００１７】
また、シャッター駆動手段によって第一係合部が露光位置から遮光位置へと駆動されることによって、第二係合部が前記方向と反対方向にスライドし、シャッター羽根は、元の位置へと移動する。このようにシャッター羽根が移動することによって、シャッター装置は、遮光状態から露光状態へと切り換えられる。
【００１８】
一方、第一係合部は、回動自在に係合されていることから、絞り駆動手段によって第二係合部が第一係合部の露光位置と遮光位置とを結ぶ方向と交差する方向に駆動された際、前記第一係合部が回動して（シャッター駆動手段とシャッター羽根との係合部が互いに相対回転することで）、シャッター羽根は、捻れることなく第一係合部を中心に回動する。このようにシャッター羽根が回動することで、レンズに入射する撮影光が通過する露光用開口を切り換えることができる。
【００１９】
従って、上記構成のシャッター装置によれば、一枚のシャッター羽根であっても、露光状態又は遮光状態の切り換え、及び露光量を調節することができることから、部品点数を少なくすることができ、シャッター装置の薄型化を図ることが可能となる。
【００２０】
また、第二係合部をスライド係合とすることによって、複雑な（複数の部品で構成される）関節機構を設ける必要がなくなり、よりシャッター装置の薄型化を図ることが出来るようになる。
【００２１】
また、第一係合部は、二点間を往復移動することから、前記同様、シャッタースピードを確保しつつ、該第一係合部の停止時の正確な位置決めを行うことができる。
【発明の効果】
【００２２】
以上より、本発明によれば、シャッタースピードを確保しつつ、薄型化を図ることができるシャッター装置を提供することができるようになる。
【発明を実施するための最良の形態】
【００２３】
以下、本発明の一実施形態について、添付図面を参照しつつ説明する。
【００２４】
図１乃至図４に示すように、本実施形態に係るシャッター装置１は、ＣＣＤ等の撮像装置２の外側（撮影光の入射光路において、最も被写体側）の円形穴によって構成されているレンズ開口３の絞り位置（被写体側）を覆うように配設されたシャッター羽根４と、シャッター羽根４の一端と係合し、該係合部を駆動することで露光状態と遮光状態とを切り換えるシャッター駆動手段（本実施形態においては、シャッター用アクチュエータ）５と、シャッター羽根４の他端と係合し、該係合部を駆動することでレンズ開口３に入射する撮影光の光量（露光量）を調節する絞り用駆動手段（本実施形態においては、絞り用アクチュエータ）６とを備えている。
【００２５】
シャッター羽根４は、その中央部に複数の露光用開口７，７，…が穿設されると共に、レンズ開口３への撮影光を遮光するための遮光部８が形成されている。複数の露光用開口７，７，…は、後述する第二係合部１４の移動方向に沿って、より詳細には、後述する第一係合部１１を中心にした円弧上に配列されている。本実施形態においては、露光用開口７，７，…は、互いに径の大きさが異なる二つの円形穴７’，７”が上下方向に形成され、一方は、全開開口７’を構成し、他方は、絞り開口７”を構成している。
【００２６】
全開開口７’は、レンズ開口３よりも径の大きな円形の穴（開口）であり、レンズ開口３の絞り位置近傍に該レンズ開口３の中心と全開開口７’の中心とが一致するように（同一直線上となるように）配設された際、レンズ開口３から撮像装置２内に入射する撮影光を遮光しないように形成されている。
【００２７】
絞り開口７”は、レンズ開口３よりも径の小さな円形の穴（開口）であり、レンズ開口３の絞り位置近傍にその中心と絞り開口７”の中心とが一致するように配設された際、レンズ開口３から撮像装置２内に入射する撮影光を一定量だけ遮光するように形成されている。
【００２８】
遮光部８は、露光用開口７，７，…（本実施形態においては、全開開口７’及び絞り開口７”）の近傍に形成され、シャッター羽根４に穴等の撮影光が通過することができる部位を一切設けないことによって、レンズ開口３の絞り位置に位置した際、該レンズ開口３に入射しようとする撮影光を遮光できるように形成されている。
【００２９】
シャッター羽根４の一端には、係合穴９が穿設され、該係合穴９とシャッター用アクチュエータ５の後述する係合突起１０とが回動可能（相対回転可能）に係合することで第一係合部１１を構成する。
【００３０】
シャッター羽根４の他端には、スライド穴１２が穿設されている。スライド穴１２は、シャッター羽根４の他端から一端（係合穴９）へ向かって延びる長穴状に形成されている。該スライド穴１２は、絞り用アクチュエータ６の後述するスライド係合突起１３とスライド可能に係合することで第二係合部（スライド係合部）１４を構成する。
【００３１】
シャッター用アクチュエータ（シャッター駆動手段）５は、シャッター羽根４と係合している係合突起１０を作動させることでシャッター羽根４を駆動するため（移動させるため）の駆動手段である。
【００３２】
係合突起１０は、レンズ開口３の絞り位置にシャッター羽根４の露光用開口７，７，…が位置し、レンズ開口３内に撮影光が入射可能となる露光位置１１ａと、レンズ開口３の絞り位置にシャッター羽根４の遮光部８が位置し、レンズ開口３内に入射しようとする撮影光を遮光する遮光位置１１ｂとを往復移動するように作動される。
【００３３】
即ち、シャッター用アクチュエータ５は、第一係合部１１を露光位置１１ａと遮光位置１１ｂとの二点間で往復移動するように駆動することで、レンズ開口３の絞り位置に露光用開口７，７，…が位置し、又は遮光部８が位置するようにシャッター羽根４を移動し、シャッター装置１の露光状態と遮光状態とを切り換えることができる。
【００３４】
絞り用アクチュエータ６は、シャッター羽根４と係合しているスライド係合突起１３を第一係合部１１の露光位置１１ａと遮光位置１１ｂとを結ぶ方向と交差する方向に作動させることでシャッター羽根４を駆動するため（移動させるため）の駆動手段である。尚、本実施形態において、スライド係合突起１３は、露光位置１１ａと遮光位置１１ｂとを結ぶ方向と略直交する方向に沿って往復移動する。
【００３５】
スライド係合突起１３は、第一係合部１１が露光位置１１ａに位置する際に、レンズ開口３の絞り位置に各露光用開口７，７，…の何れか一つが位置するように作動される。
【００３６】
即ち、絞り用アクチュエータ６が第二係合部を往復移動させることで、第一係合部１１が露光位置１１ａに位置する際、レンズ開口３の絞り位置に位置する露光用開口７，７，…を切り換えることができる。
【００３７】
本実施形態においては、第二係合部を一方側１４ａから他方側１４ｂまで往復移動させることで、レンズ開口３の絞り位置に位置する開口を全開開口７’又は絞り開口７”となるように切り換えることができる。
【００３８】
本実施形態に係るシャッター装置１は、以上の構成からなり、次に、シャッター装置１の動作について説明する。
【００３９】
まず、図１に示すように、シャッター装置１は、初期状態として、第一係合部１１が一端側（露光位置）１１ａに位置すると共に、第二係合部１４が一方側１４ａに位置する。この状態では、レンズ開口３の絞り位置に全開開口７’がレンズ開口３の中心と全開開口７’の中心とが一致するように（同一直線上になるように）位置し、撮影光が遮光されることなく撮像装置２内に入射可能な露光状態になっている。
【００４０】
次に、図２に示すように、シャッター用アクチュエータ５が作動して係合突起１０が移動することによって、第一係合部１１は、露光位置１１ａから遮光位置１１ｂへ移動する。この第一係合部１１の移動に伴ってシャッター羽根４も移動する。この時、シャッター羽根４は、第二係合部１４において、スライド係合突起１３にガイドされてスライド穴１２の長手方向に沿って移動する。このようにシャッター羽根４が移動することによって、レンズ開口３の絞り位置には、全開開口７’から遮光部８が位置することになる。
【００４１】
その後、シャッター用アクチュエータ５を作動して係合突起１０を元の位置（初期状態の位置）に戻すことによって、第一係合部１１も遮光位置１１ｂから露光位置１１ａへ移動する。それに伴ってシャッター羽根４も元の位置に戻り、レンズ開口３の絞り位置には、遮光部８から全開開口７’が位置することになる。
【００４２】
即ち、図１に示す状態からシャッター用アクチュエータ５の駆動により、第一係合部１１を露光位置１１ａから遮光位置１１ｂへ、また、遮光位置１１ｂから露光位置１１ａへと二点間を往復移動させることにより、シャッター装置１は、全開露光状態（全開モード）と第一遮光状態（第一遮光モード）とを交互に切り換えることができる。
【００４３】
次に、図３に示すように、図１に示す状態から絞り用アクチュエータ６を作動してスライド係合突起１３を一方側１４ａから他方側１４ｂへ駆動することによって、第二係合部１４は、第一係合部１１の露光位置１１ａと遮光位置１１ｂとの往復移動方向と交差する方向（本実施形態においては、略直交する方向）に沿って一方側１４ａから他方側１４ｂへ移動する。この第二係合部１４の移動に伴いシャッター羽根４も移動する。この時、シャッター羽根４は、第一係合部１１において、係合穴９と係合突起１０とが回動可能に係合していることから、係合突起１０（第一係合部１１）を中心に回動する。
【００４４】
シャッター羽根４に設けられた全開開口７’及び絞り開口７”（露光用開口７，７，…）は、第一係合部１１（係合突起１０）を中心とした円弧上に並ぶように配設されているため、このようにシャッター羽根４が回動することによって、レンズ開口３の絞り位置には、全開開口７’から絞り開口７”が位置することになる。
【００４５】
このようにレンズ開口３の絞り位置に絞り開口７”が位置する状態では、絞り開口７”がレンズ開口３よりも径の小さな円形の穴として形成されているため、レンズ開口３から撮像装置２内に入射する撮影光は、その一部が遮光された状態で撮像装置２内に入射する（絞り露光状態）。
【００４６】
この状態から、図４に示すように、シャッター用アクチュエータ５が作動して係合突起１０が移動することによって、シャッター羽根４は、前述の如く、第二係合部１４において、スライド係合突起１３にガイドされてスライド穴１２の長手方向に沿って移動し、レンズ開口３の絞り位置には、絞り開口７”から遮光部８が位置することになる（第二遮光状態）。
【００４７】
その後、シャッター用アクチュエータ５を作動して係合突起１０を元の位置に戻すことによって、前述の如く、レンズ開口３の絞り位置には、遮光部８から絞り開口７”が位置することになる（図３参照）。
【００４８】
このようにして、シャッター装置１は、絞り露光状態（絞りモード）と第二遮光状態（第二遮光モード）とを交互に切り換えることができる。
【００４９】
また、絞り用アクチュエータ６のスライド係合突起１３を初期状態（一方側１４ａ）に戻すことによって、レンズ開口３の絞り位置には、絞り開口７”から全開開口７’が位置することになる。
【００５０】
即ち、図１及び図３に示すように、絞り用アクチュエータ６の駆動により、第二係合部１４を一方側１４ａから他方側１４ｂへ、また、他方側１４ｂから一方側１４ａへと往復移動させることにより、シャッター装置１は、全開露光状態（全開モード）と絞り露光状態（絞りモード）とを切り換えることができる。
【００５１】
以上のように、本実施形態に係るシャッター装置によれば、シャッター羽根４に全開開口７’及び絞り開口７”（露光用開口７，７，…）が形成されていることで絞り機能を兼用させたシャッター羽根４を、その両端部とそれぞれ係合する駆動（移動）方向が互いに略直交する二つのアクチュエータ（駆動手段）５，６によって駆動することで、一枚のシャッター羽根４のみで、全開露光状態（全開モード）、絞り露光状態（絞りモード）、第一及び第二遮光状態（第一及び第二遮光モード）を任意に切り換えることができる。
【００５２】
そのため、シャッター羽根又は絞り羽根を複数枚使用する必要がないことから、絞り機能を備えるシャッター装置であっても薄型化を図ることが可能となる。
【００５３】
また、シャッター羽根４を駆動して、露光状態（全開露光状態又は絞り露光状態）と遮光状態（第一又は第二遮光状態）に切り換えるためのシャッター用アクチュエータ５は、係合部１１を露光位置１１ａと遮光位置１１ｂの二点間で往復移動させる、即ち、シャッター用アクチュエータ５における係合部１１の駆動範囲の一方端から他方端までを往復移動し、その駆動範囲の途中で停止する必要がないことから、係合部１１の移動速度を大きく（速い）しても、該係合部１１の停止時の正確な位置決めを行うことができるようになる。
【００５４】
尚、本発明に係るシャッター装置は、上記実施形態に限定されるものではなく、本発明の要旨を逸脱しない範囲内において種々変更を加え得ることは勿論である。
【００５５】
例えば、本実施形態においては、絞り用アクチュエータ６は、シャッター用アクチュエータ５と同様に、スライド係合突起１３が二点間（一方側１４ａと他方側１４ｂ間）を途中で止まることなく往復移動するが、これに限定される必要はなく、第二係合部１４をボールネジ等を使用することによって、シャッター用アクチュエータ５の駆動方向と交差する方向に移動させつつ、所定の位置に（レンズ開口３の絞り位置に所定の露光用開口７，７，…が位置するように）位置決めできる駆動手段であれば良い。
【００５６】
即ち、シャッタースピードを確保しつつ、正確にシャッター羽根の位置決めを行う必要のある駆動手段（シャッター用アクチュエータ）は、シャッター羽根との係合部が２点間を途中で止まることなく大きな移動速度を確保しつつ往復移動するよう、駆動させるものでなければならないが、レンズ開口３の絞り位置に位置する露光用開口７，７，…を切り換えるための絞り用アクチュエータ（絞り用駆動手段）は、切換スピードを確保する必要がないことから、第二係合部１４を第一係合部１１の往復移動する方向と交差する方向に移動可能であり、所定の位置（レンズ開口３の絞り位置に、その中心と所定の露光用開口７，７，…の中心とが同一直線上になる位置）に位置決めできる駆動手段であれば良い。
【００５７】
また、本実施形態において、露光用開口７，７，…は、全開開口７’及び絞り開口７”の二つの穴によって構成されているが、これに限定される必要はなく、三つ以上の穴によって構成されていても良い。その場合、露光用開口７，７，…は、第一係合部１１を中心とした円弧上に並ぶように配設されていれば良い。また、露光用開口７，７，…には、フィルター等が装着されていても良い。
【００５８】
また、本実施形態においては、シャッター羽根４の一端から他端に向かって、順に第一係合部１１、遮光部８、露光用開口７，７，…（全開開口７’及び絞り開口７”）、第二係合部１４となるように、即ち、第一及び第二係合部１１，１４間に遮光部８及び露光用開口７，７，…が位置するように配設されているが、これに限定される必要もなく、例えば、第二係合部１４、第一係合部１１、遮光部８、露光用開口７，７，…の順となるように配設されていても良い。
【００５９】
また、本実施形態において、シャッター装置１は、初期状態がレンズ開口３の絞り位置に露光用開口７，７，…が位置する露光状態であるが、これに限定される必要はなく、初期状態がレンズ開口３の絞り位置に遮光部８が位置する遮光状態であっても良い。
【産業上の利用可能性】
【００６０】
本発明にかかるシャッター装置は、カメラ付き携帯電話や薄型のデジタルカメラ等の薄型のシャッター装置が必要な光学機器に関する技術分野等の用途に適用できる。
【図面の簡単な説明】
【００６１】
【図１】本実施形態に係るシャッター装置であって、第一係合部が一端側に位置し、第二係合部が一方側に位置した全開露光状態を示す正面図
【図２】同実施形態に係るシャッター装置であって、第一係合部が他端側に位置し、第二係合部が一方側に位置した遮光状態を示す正面図
【図３】同実施形態に係るシャッター装置であって、第一係合部が一端側に位置し、第二係合部が他方側に位置した絞り露光状態を示す正面図
【図４】同実施形態に係るシャッター装置であって、第一係合部が他端側に位置し、第二係合部が他方側に位置した遮光状態を示す正面図
【符号の説明】
【００６２】
１  シャッター装置
２  撮像装置
３  レンズ開口
４  シャッター羽根
５  シャッター用アクチュエータ（シャッター用駆動手段）
６  絞り用アクチュエータ（絞り用駆動手段）
７  露光用開口
７’  全開開口
７”  絞り開口
８  遮光部
９  係合穴
１０  係合突起
１１  第一係合部
１１ａ  露光位置
１１ｂ  遮光位置
１２  スライド穴
１３  スライド係合突起
１４  第二係合部
１４ａ  一方側
１４ｂ  他方側
【図１】
2007272026.tif 000003
【図２】
2007272026.tif 000004
【図３】
2007272026.tif 000005
【図４】
2007272026.tif 000006